(57)【特許請求の範囲】
【請求項１】
縦断面ほぼＵ字状に形成され長手方向に沿う両端部のそれぞれに前耳部（６）と後耳部（７）を有する軒樋（Ｎ）の端部同士を内カバー（１）と外カバー（４）で内側と外側から挟みつけて接続する軒樋接続構造において、上記内カバー（１）が上記前耳部（６）の下部を包持する包持部（２）を備え、上記外カバー（４）に切欠部（Ｋ）を設けると共に、上記後耳部（７）の下部と上記内カバー（１）の建屋側先端に互いに係合する係合突片からなる係合部材（８、３）を設けたことを特徴とする軒樋接続構造。
【請求項２】
上記切欠部（Ｋ）は、内カバー（１）を外カバー（４）内に嵌装させる通り道であることを特徴とする請求項１の軒樋接続構造。
【発明の詳細な説明】
【０００１】
【産業上の利用分野】
本発明は連接対象となる軒樋の接続部を外側継手と内側継手とで挟着固定した軒樋接続構造に関する。
【０００２】
【従来の技術】
従来、内カバーと外カバーで軒樋を挟みつけて接続する軒樋接続構造としては、軒樋の周囲を覆いつくすと共に内カバーと外カバーの端部同士を係合させて固定するものが知られている（実公平３−５２３３９号公報参照）。
【０００３】
しかし、この接続構造では、カバーの固定の際、カバー同士を係合させなければならないため、接続作業に手間がかかるという課題があった。
【０００４】
この課題を解決させる手段として、本出願人は、軒樋の一部に係止用の中空突片を設けた手段を既に開示している（実開平５−４７１６９号公報参照）。
【０００５】
【発明が解決しようとする課題】
本出願にかかる技術は前出の課題を解決したものであるが、軒樋の形状を変化させたものであり上記中空突片の樹脂使用量分のコスト高となってしまうという新たな課題があった。
【０００６】
したがって、本発明の目的は、軒樋接続作業に手間がかからないと共に従来の軒樋に対してもコスト高にならない軒樋接続構造を提供することにある。
【０００７】
【課題を解決するための手段】
本発明者は、上記に鑑み鋭意検討を行った結果、外カバーと内カバーがそれぞれ軒樋に対して係合すれば上記課題を解決できることを見出し本発明を完成させた。
【０００８】
すなわち、本発明は、内カバーに前耳部の下部を包持する包持部を設け、後耳部と内カバーの建屋側先端に互いに係合する係合部材を設けたものである。
【０００９】
ここで、本発明にかかる上記包持部は、軒樋の前耳部の一部又は全部を包持してもよいが、施工の簡単さや製品のコストの関係から、前耳部の一部である下部を包持するのが好ましい。なお、軒樋接続作業にあっては高所での作業のため外カバーを取り付けてから内カバーを取り付けるたる。そのため、該包持部が前耳部の全部（又は一部）を包持する場合、外カバーの一部に内カバーを挿入可能にする切欠部を設けることができるのは勿論である。
【００１０】
また、後耳部の下部と内カバーの建屋側先端に互いに係合する上記係合部材は、両者を互いに係合させるものであれば適宜選択して使用できるものであるが、例えば、互いに係合する係合突片同士、係合突片と係合凹部、互いに嵌合し合う係合凹部同士などがあるが、作業効率からいえば係合突片同士が好ましい。
【００１１】
なお、上記外カバーを軒樋に係合させる手段としては、物理的・化学的な接合の単独又は双方があるが、物理的な接合としては軒樋の前耳部と後耳部の角部に外カバーに設けた係合部で接合させる手段、軒樋の耳部を包持させる手段がある。化学的な接合手段としては粘着剤や接着剤などによる手段がある。なお、物理的な接合手段としてボルトとナット、ビス、リベットを理論上採用できるが、部品の増加になるため、好ましくない。
【００１２】
また、上記内カバーは、断面ほぼＵ字状の軒樋の内部に嵌装させられるため、ある程度の弾性力を有する弾性体であるのが好ましい。
【００１３】
弾性体として採用できる素材としては、例えば金属、合成樹脂若しくはゴムの単品又は複合品があるが、軒樋の接続部材としての剛性を考えると、合成樹脂が好ましい。
【００１４】
該内カバーの素材としては、軒樋の端部同士を安定的に固定させていれば本発明の目的を達成できものであるため、例えばステンレス、鉄、鋼、銅、アルミニウム、亜鉛、ニッケルなどの単体又は合金といった金属、熱可塑性樹脂（例えばポリ塩化ビニル、ポリエチレン、ポリエステル、ポリスチレン、ＡＢＳ（アクリロニトリル・ブタジエン・スチレン）、ポリカーボネート）や熱硬化性樹脂の単体又は複合体といった合成樹脂や、合成樹脂に補強繊維（例えばガラス繊維、アラミド繊維、金属繊維など）を含有させた合成樹脂がある。なお、金属に合成樹脂やゴムを被覆又は積層するような複合体であっても良いのは勿論である。
【００１５】
また、本発明で使用される軒樋は、前壁部と後壁部の双方の先端に前耳部と後耳部をそれぞれ備えたものであれば、他の部分の形状はいずれの形状であっても良く、さらにいずれの素材であっても良いのは勿論である。
【００１６】
【作用】
本発明の軒樋接続構造は、外カバーと内カバーがそれぞれ軒樋に対して挟みつけて係合させ、これにより軒樋接続作業に手間がかからないと共に従来の軒樋に対してもコスト高にならない。
【００１７】
【実施例】
本発明にかかる第一実施例を図１に開示する。図１は本発明の一実施例にかかる軒樋接続構造の内カバーと外カバーを模式的に示した説明図であり、図２は図１の内カバーと外カバーを軒樋に適用したときの縦断面の模式的な説明図である。
【００１８】
この実施例で使用された軒樋接続構造は、縦断面ほぼＵ字状に形成され長手方向に沿う両端部のそれぞれに前耳部６と後耳部７を有する軒樋Ｎの端部同士を内カバー１と外カバー４で内側と外側から挟みつけて接続するものである。また、上記内カバー１には上記前耳部６を包持する包持部２が設けられ、上記後耳部７と上記内カバー１の建屋側先端は互いに係合する係合部材としての係合突片８、３が設けられ、さらに、上記外カバー４には軒樋Ｎの前耳部６と後耳部７の角部に係合する係合部５、５が設けられている。なお、図１中、符号Ｋは内カバー１を外カバー４内に嵌装させる際の通り道としての切欠部である。
【００１９】
ここで、本実施例にかかる軒樋取付構造の取付手順を説明する。
【００２０】
先ず、図１で開示した外カバー４を軒樋Ｎの外側に沿わせた後、係合部５、５を前耳部６の上部角部と後耳部７の上部角部に係合させる。次に、上記切欠部Ｋを通った内カバー１が、図２（ｂ）に開示したように、係合突片３を軒樋Ｎの係合突片８に係合させ、前耳部６を内カバー１の抱持部２で抱持し、これにより図２（ｂ）から図２（ａ）の状態に移行させる。なお、図示は省略したが、軒樋Ｎが長手方向に外れるのを防止するために軒樋Ｎと外カバー４及び内カバー１は接着剤によって接着されている。
【００２１】
本実施例にあっては、軒樋Ｎに対して外カバー４を覆い、内カバー１を軒樋Ｎ内に押し込むだけで軒樋接続作業が終わるため、軒樋接続作業に手間がかからないという効果を有する。さらに、本実施例にあっては軒樋Ｎの簡単な形状の係合突片を設けるだけであるため、従来の軒樋に対してもコスト高にならないという効果を有する。
【００２２】
【発明の効果】
本発明は、縦断面ほぼＵ字状に形成され長手方向に沿う両端部のそれぞれに前耳部と後耳部を有する軒樋の端部同士を内カバーと外カバーで内側と外側から挟みつけて接続する軒樋接続構造において、上記内カバーが上記前耳部を包持する包持部を備え、上記後耳部と上記内カバーの建屋側先端に互いに係合する係合部材を設け、これにより軒樋接続作業に手間がかからないと共に従来の軒樋に対してもコスト高にならないという効果を有する。
【図面の簡単な説明】
【図１】本発明の一実施例にかかる軒樋接続構造の内カバーと外カバーを模式的に示した説明図である。
【図２】図１の内カバーと外カバーを軒樋に適用したときの縦断面の模式的な説明図である。
【符号の説明】
１   内カバー
２   包持部
３   係合部材
４   外カバー
５   係合部
６   前耳部
７   後耳部
８   係合部材
Ｋ 切欠部
Ｎ   軒樋
【図１】
0003620876.tif 000002
【図２】
0003620876.tif 000003